(57)【要約】【課題】  短縮状態では、全体がコンパクトであって、使用時には長尺の物干杆をスムースに引き出すことが可能な物干装置を提供することを目的とする。【解決手段】  水平状物干杆５の両端を支持部材６，６にて支持する。この支持部材６は伸縮自在であって、外筒と内筒とリテーナを有し、リテーナの前端全周・後端全周には、ボール群が配設されている。ウォールキャビネットＡの底板４に支持部材６，６が取付けられている。【選択図】  図３
2006333918.tif 000002
【特許請求の範囲】
【請求項１】
水平状物干杆（５）と、該物干杆（５）の左右各端部を支持する左右一対の支持部材 (６)(６) とを、備えた物干装置に於て、
上記支持部材（６）は、相互に伸縮自在に嵌合する外筒（30）と内筒（40）と、該外筒（30）と内筒（40）の間の円筒状空隙部（41）に内装される短筒状リテーナ（42）と、該リテーナ（42）の前端全周・後端全周にわたって保持されて上記外筒（30）の内面と上記内筒（40）の外面に転動自在に接触するボール群 (43)(44) と、から成る伸縮ガイド機構（Ｓ）を具備し、前後方向へ伸縮自在であることを特徴とする物干装置。
【請求項２】
上記支持部材（６）は、２個以上の上記伸縮ガイド機構 (Ｓ1 )(Ｓ2 ) を具備し、全体がテレスコピックアーム形状に構成されている請求項１記載の物干装置。
【請求項３】
上記支持部材（６）は、基端固定側の筒状部材（８）が、ウォールキャビネット（Ａ）の底板（４）の下面に固着され、短縮状態にて上記物干杆（５）は上記ウォールキャビネット（Ａ）の扉（３）の前面（３ａ）と略同一鉛直面の位置に後退するように構成された請求項１又は２記載の物干装置。
【発明の詳細な説明】
【技術分野】
【０００１】
本発明は物干装置に係り、特に、洗面所等でタオルやバスタオル等を掛けて干すための物干し装置に関する。
【背景技術】
【０００２】
従来のこの種の物干装置は、水平状物干杆を支持する左右の支持取付具を壁やウォールキャビネット底面等に固着していたが、支持取付具及び物干杆は、固定式であったため、不使用状態では、前方へ突出して邪魔となっていた。
このような問題を解決するために、従来、支持取付具を揺動アームを有するものとして、この揺動アームの前端に水平状物干杆を取付けて、不使用時に揺動アームを折畳方向へ揺動して、全体をコンパクトな状態とする構造のものが提案されている（例えば、特許文献１参照）。
【特許文献１】特開２００１−３２１６００号公報
【発明の開示】
【発明が解決しようとする課題】
【０００３】
上記の従来の揺動アームを有する物干装置では、多数のリンク部材、ピン、ウォームホール、ウォームギア等を必要としていた。
そこで、本発明は、全体がコンパクトかつ簡素な構造であって、しかも、物干杆が長い寸法であっても、その物干杆の一方の端を手で引いた場合、円滑に手前に引出しすることが可能な物干装置を提供することを目的とする。また、ウォールキャビネットの底板の下面に取付けて、不使用時には前方へ殆ど突出しない状態として、ウォールキャビネット扉の開閉に支障を生じないと共に、タオル等を干したい時には、簡単に手前へ引出すことが可能な物干装置を提供することを他の目的とする。
【課題を解決するための手段】
【０００４】
上記目的を達成するため、本発明に係る物干装置は、水平状物干杆と、該物干杆の左右各端部を支持する左右一対の支持部材とを、備えた物干装置に於て、上記支持部材は、相互に伸縮自在に嵌合する外筒と内筒と、該外筒と内筒の間の円筒状空隙部に内装される短筒状リテーナと、該リテーナの前端全周・後端全周にわたって保持されて上記外筒の内面と上記内筒の外面に転動自在に接触するボール群と、から成る伸縮ガイド機構を具備し、前後方向へ伸縮自在である。
また、上記支持部材は、２個以上の上記伸縮ガイド機構を具備し、全体がテレスコピックアーム形状に構成されている。
また、上記支持部材は、基端固定側の筒状部材が、ウォールキャビネットの底板の下面に固着され、短縮状態にて上記物干杆は上記ウォールキャビネットの扉の前面と略同一鉛直面の位置に後退するように構成されている。
【発明の効果】
【０００５】
本発明は、次のような著大な効果を奏する。
支持部材が伸縮自在であるので、不使用状態では前方へ突出しないようにコンパクトに短縮状態に保持することができると共に、使用状態では、手前へ伸長させてタオル等を干すことができる。しかも、ボール群の転動によって、軽快に、支持部材が伸縮作動し、かつ、がたつきも少なく、長い寸法（長尺の）物干杆の左右一方の端を手でもって、引いたり押したりした場合にも、円滑に伸縮作動が可能である。
テレスコピックアーム形状に支持部材を構成すれば、短縮状態では、極めてコンパクトとなって、狭い洗面所等の空間内で、人の動きの邪魔とならない。
また、ウォールキャビネットの扉の開閉に邪魔とならないように、短縮状態に切換えることも可能であって、至便である。
【発明を実施するための最良の形態】
【０００６】
以下、図示の実施の形態に基づき本発明を詳説する。
図１〜図６は本発明の実施の一形態を示し、図１の正面図と、図２の側面図と、図３の底面図に於て、Ａはウォールキャビネットであり、一般家庭やホテルや飲食店や工場や事務所等の洗面所（室）の壁面１に前方へ突出状に固着されたキャビネット箱体２と、この箱体２の前方開口部に開閉自在に枢着された扉３，３を、有し、本発明に係る物干装置Ｚは、ウォールキャビネットＡの（箱体２の）底板４の下面に付設されている。
【０００７】
物干装置Ｚは、丸パイプ等から成る水平状物干杆５と、この物干杆５の左右各端部を支持する左右一対の支持部材６，６とを、備えている。
この支持部材６，６は、（後述の）伸縮ガイド機構Ｓを具備し、前後（水平）方向へ伸縮自在であり、短縮状態にて、図２の実線、及び、図３の右半分に示した如く、物干杆５は、ウォールキャビネットＡの扉３の前面３ａと略同一鉛直面の位置に、後退可能である。
【０００８】
図５は短縮状態の要部拡大断面図、図６は伸長状態の要部拡大断面図であり、図７は伸縮ガイド機構Ｓの基本的構成の説明図、図４は要部分解図である。この図４〜図６に示すように、左右各支持部材６は、２個の（第１・第２）伸縮ガイド機構Ｓ1 ，Ｓ2 を具備する。また、この各支持部材６の外観の形状は、全体がテレスコピックアーム形状（タケノ子アーム形状）に構成される。つまり、第１筒状部材８と第２筒状部材13と第３筒状部材14は外径寸法が大・中・小と順次段付型に変化してタケノ子状を呈している。
図７に於て、上記伸縮ガイド機構Ｓ（Ｓ1 ，Ｓ2 ）の基本的構成につき、まず説明すると、本発明の伸縮ガイド機構Ｓ（Ｓ1 ，Ｓ2 ）は、相互に（軸心方向に）伸縮自在に嵌合する外筒30と内筒40と、この外筒30と内筒40の間の円筒状空隙部41に内装される短筒状リテーナ42と、このリテーナ42の全端全周にわたって所定ピッチで保持されて外筒30の内面と内筒40の外面に転動自在に接触する前方のボール群43と、リテーナ42の後端全周にわたって所定ピッチで保持されて外筒30の内面と内筒40の外面に転動自在に接触する後方のボール群44と、から成る。
【０００９】
図４〜図６に於て、８は基端固定側の（第１）筒状部材であり、この（第１）筒状部材８は、円筒部８ａと、円筒部８ａの左右側面から上方へ平行に突設された取付用壁体８ｂ，８ｂとを、有する。平行な一対の取付用壁体８ｂ，８ｂの対向面には差込凹溝９，９が各々２本の小突条にて形成されている。
図４に示した矩形板状の取付片10を、図１〜図３に示したキャビネット箱体２の底板４の下面に２本のビス（図示省略）にて固着する。この取付片10は周囲縁を残して中間部が低く上方へ突隆した形状であり、底板４に固着した状態下、取付片10の左右辺10ａ，10ａは底板４下面よりも僅かに下方に位置し、このような取付片10の左右辺10ａ，10ａが前記筒状部材８の壁体８ｂ，８ｂの差込凹溝９，９に差込状となるように、前後方向にスライドして、筒状部材８が取付けられる。このように、着脱が容易な構造であって、取付作業が能率良く行い得る。
【００１０】
11は後ベースキャップであり、筒状部材８の円筒部８ａの後端に、係止爪機構にて嵌着係止される。このベースキャップ11は上端に取付片部11ａを有し、この取付片部11ａの取付孔11ｂに（図示省略の）ビスにて底板４の下面に固着する。12は前ベースキャップであり、係止爪機構にて円筒部８ａの前端に嵌合係止される。図１〜図３に示した取付状態では、前後のベースキャップ12, 11が、取付片10の前辺・後辺に当接して、取付片10に対し、筒状部材８が前後へスライドすることを阻止し、キャビネット箱体２の底板４の下面に固着（保持）される。
【００１１】
13は第２筒状部材、14は第３筒状部材であって、前記第１筒状部材８の径を大とすると、第２筒状部材13の径は中であり、第３筒状部材14の径は小であるといえる。
大径の第１筒状部材８と中径の第２筒状部材13の間の円筒状空隙部41に短筒状リテーナ42が内装され、このリテーナ42の前端と後端に、ボール群43, 44が転動自在に保持される。
【００１２】
15はストッパーであり、第２筒状部材13の後端に係止爪機構にて嵌合係止されており、図５に示す如く、軸心方向（前後方向）に比較的長い寸法の空隙部41内で、ボール群43, 44と共にリテーナ42は自由に軸心方向（前後方向）に移動可能であるが、図６に示した伸長状態では、上記ストッパー15がリテーナ42の後端に当接して、リテーナ42を前方位置に移動させ、前ベースキャップ12にてリテーナ42の前端が当接し、リテーナ42の前後移動は阻止された状態となる。
【００１３】
次に、中径の第２筒状部材13と小径の第３筒状部材14の間の円筒状空隙部41に短筒状リテーナ42が内装され、このリテーナ42の前端と後端に、ボール群43, 44が転動自在に保持される。
17はキャップであり、第２筒状部材13の前端に係止爪機構にて嵌合係止され、また、16はストッパーであり、第３筒状部材14の後端に係止爪機構にて嵌合係止されており、図５に示す如く、軸心方向（前後方向）に比較的長い寸法の空隙部41内で、ボール群43, 44と共にリテーナ42は自由に軸心方向（前後方向）に移動可能であるが、図６に示した伸長状態では、ストッパー16がリテーナ42の後端に当接して、リテーナ42を前方位置に移動させ、キャップ17にてリテーナ42の前端が当接し、リテーナ42の前後移動は阻止された状態となる。
【００１４】
第３筒状部材14の前端開口部には、エルボ型ジョイント部材18が爪係止機構にて嵌合係止され、かつ、このエルボ型ジョイント部材18の他端は、円筒から成る物干杆５の開口端部に爪係止機構にて嵌合係止される。このように、水平状物干杆５の左右端は、各々、ジョイント部材18を介して、小径の第３筒状部材14の前端に、連結保持される構造である。  図５・図６の実施の形態に於ては、図７と対比すれば明らかなように、第１・第２伸縮ガイド機構Ｓ1 ，Ｓ2 を具備し、第１伸縮ガイド機構Ｓ1 は、第１筒状部材８が外筒30に相当し、第２筒状部材13が内筒40に相当し、他方、第２伸縮ガイド機構Ｓ2 は、第２筒状部材13が外筒30に相当し、第３筒状部材14が内筒40に相当する。
【００１５】
そして、図４〜図６に示すように、リテーナ42は、プラスチック成型品からなる２分割構造であって、前半部42ａと後半部42ｂを、係止爪機構にて相互に連絡一体状としたものである。また、リテーナ42の前端及び後端には、ボール保持小突起20, 21が突設され、ボール群43, 44の各ボールを、夫々一対の小突起20, 20又は小突起21, 21にて、転動可能に保持する。例えば、各ボール群43, 44は４個〜12個───望ましくは６個〜８個───のボール43ａ，44ａをもって構成し、 360°全周に等しい中心角度にて等分配する。なお、図６に於て、固定（取付）側の第１伸縮ガイド機構Ｓ1 のボール群43, 44の各ボール個数を、（前方側の）第２伸縮ガイド機構Ｓ2 のボール群43, 44の各ボール個数よりも、多く配設するのが、好ましい。即ち、物干杆５に外力が作用した際の曲げモーメントは、第１伸縮ガイド機構Ｓ1 側の方が大きいので、そのボール個数を多くすることは、力学上合理的であり、全体のスムースな伸縮作動を実現する。
なお、各リテーナ42を２分割構造とすることで、プラスチック射出成型が容易となる。即ち、上記一対の小突起20, 20又は21, 21の間のボール保持収納部を凹状に形成する金型小突部は、成型後、無理に抜き出さねばならないが、仮に１体構造とすれば、前端と後端の両方から金型を無理に抜き出す作業（作動）が困難であるが、図示の実施の形態のように２分割構造とすれば、一端側の金型のみを無理に抜き出すのみで済み、作業（作動）が容易となる。
【００１６】
図１〜図３に於て、左右の支持部材６，６の間隔寸法───即ち、物干杆５の長さ寸法に略等しい───は、1000mm〜1500mmのように大きい（長尺）の場合もある。しかし、本発明ではリテーナ42によって前ボール群43と後ボール群44に軸心方向（長手方向）に距離を設けて配置したので、曲げ方向の外力に対して強度と剛性が高く、スムースに伸縮し、かつ、安定して伸長状態で物干杆５が保持できる。それによって、多くの物（重い物）を物干杆５に吊って乾燥等させることができる（耐吊重大）。しかも、各ボール群43, 44は、全周にわたって各ボール43ａ，44ａが配設（保持）されているので、支持部材６の軸心が上下方向に曲がる外力が作用しても、左右方向に曲がる外力が作用しても、十分な強度と剛性を保ち、スムースに伸縮作動する。例えば、上述したような長尺の物干杆５であったとしても、その左右いずれかを手で引っ張るだけでスムースに伸長作動し、左右の支持部材６，６がいわば同期してスライドする。
また、図５に示した短縮状態下で、第２筒状部材13が前方（先端方向）へ移動するのを防止するため、キャップ17の外面と前ベースキャップの内面との嵌合を密として───例えば一方に小突起を付設して───第２筒状部材13が勝手に移動するのを防止する。さらに、物干杆６と第３筒状部材14が前方へ移動するのを防止するため、キャップ17の内面とジョイント部材18の基部外面との嵌合を密として───例えば一方に小突起を付設して───第３筒状部材14が勝手に移動するのを防いでいる。
【００１７】
なお、本発明は上述の実施の形態以外にも設計変更自由であって、図５と図６の２段テレスコピックアーム構造を、３段以上としたり、逆に、単数とすることも可能である。図５と図６の２段の場合には、構造が比較的簡素であって、かつ、短縮状態の支持部材６の全長が極めて短くできて、図２と図３に示すように、キャビネット箱体２の底板４に邪魔とならないように取付可能である。
また、第１筒状部材８の形状を変更して、円筒部８ａの基端（後端）側に外フランジ部等の取付片を設けて、壁に取付けるようにしても良く、キャビネット箱体２以外の家具や部材等に取付けるも自由である。
【００１８】
本発明は上述のように、水平状物干杆５と、該物干杆５の左右各端部を支持する左右一対の支持部材６，６とを、備えた物干装置に於て、上記支持部材６は、相互に伸縮自在に嵌合する外筒30と内筒40と、該外筒30と内筒40の間の円筒状空隙部41に内装される短筒状リテーナ42と、該リテーナ42の前端全周・後端全周にわたって保持されて上記外筒30の内面と上記内筒40の外面に転動自在に接触するボール群43，44と、から成る伸縮ガイド機構Ｓを具備し、前後方向へ伸縮自在であるように構成したので、物干杆５の左右片側を手で持って引き出したとしても、反対側の支持部材６も（同期するが如く）スムースに引き出しできる。特に、物干杆が長尺の場合にもスムースに引き出しできる。また、外力が上下方向でも、左右方向でも、確実に支持部材６，６にて支持されて、伸縮作動がスムースであり、かつ、伸縮いずれの状態下でも強度・剛性が高く、吊持荷重も十分に大きい。
【００１９】
また、上記支持部材６は、２個以上の上記伸縮ガイド機構Ｓ1 ，Ｓ2 を具備し、全体がテレスコピックアーム形状に構成されているので、短縮状態が極めて短寸化が可能となり、邪魔とならないように洗面所等に取付できる。
また、上記支持部材６は、基端固定側の筒状部材８が、ウォールキャビネットＡの底板４の下面に固着され、短縮状態にて上記物干杆５は上記ウォールキャビネットＡの扉３の前面３ａと略同一鉛直面の位置に後退するように構成されたので、キャビネット扉３の開閉に支障がないように短縮状態とすることができ、物干使用状態では、簡単に手前へ引き出して、多くの物を吊って干すことができて好都合である。
【図面の簡単な説明】
【００２０】
【図１】本発明の実施の一形態を示す正面図である。
【図２】側面図である。
【図３】作用説明用の底面図である。
【図４】要部の分解斜視図である。
【図５】短縮状態を示す要部断面図である。
【図６】伸長状態を示す要部断面図である。
【図７】伸縮ガイド機構の構成概略説明図である。
【符号の説明】
【００２１】
３  扉
３ａ  前面
４  底板
５  物干杆
６  支持部材
８  （第１）筒状部材
13  第２筒状部材
14  第３筒状部材
30  外筒
40  内筒
41  空隙部
42  リテーナ
43, 44  ボール群
Ａ  ウォールキャビネット
Ｓ，Ｓ1 ，Ｓ2   伸縮ガイド機構
【図１】
2006333918.tif 000003
【図２】
2006333918.tif 000004
【図３】
2006333918.tif 000005
【図４】
2006333918.tif 000006
【図５】
2006333918.tif 000007
【図６】
2006333918.tif 000008
【図７】
2006333918.tif 000009